【手続補正書】
【提出日】平成24年4月18日(2012.4.18)
【手続補正１】
【補正対象書類名】明細書
【補正対象項目名】０１１２
【補正方法】変更
【補正の内容】
【０１１２】
本発明の好ましい実施形態の幾つかを上記で記述し、また具体的に示したが、本発明をそのような実施形態に限定することを意図するものではない。別添の特許請求の範囲において示される本発明の範囲および精神から逸脱することなく様々な修正を行うことができる。
次に、本発明の好ましい態様を示す。
１  第一層と、前記第一層に直接接着した追加の層とを備える多層フィルムまたはシートである物品であって、前記追加の層が、金属、ＥＶＯＨ、またはポリアミドを含むか、または金属、ＥＶＯＨ、またはポリアミドから調製され、前記第一層が、
（１）１種類または複数種類のエチレン酸コポリマーであって、（ａ）エチレンおよび（ｂ）炭素原子３から８個を含む１種類または複数種類のα，β−エチレン性不飽和モノカルボン酸の各モノマーから誘導される共重合された単位（ｃｏｐｏｌｙｍｅｒｉｚｅｄ  ｕｎｉｔ）を含み、（ｃ）１種類または複数種類の（メタ）アクリル酸アルキルのモノマーから誘導される共重合された単位を含んでもよい、エチレン酸コポリマーと、
（２）１種類または複数種類の官能性エチレンコポリマーであって、（ｄ）エチレンおよび（ｅ）炭素原子４から８個を含み、かつ２個のカルボン酸基を含むエチレン性不飽和カルボン酸のアルキルモノエステルの各モノマーから誘導される共重合された単位を含み、（ｆ）前記官能性エチレンコポリマーの総重量を基準にして約５重量％までの酢酸ビニルあるいは１種類または複数種類の（メタ）アクリル酸アルキルのモノマーから誘導される共重合された単位を含んでもよい、官能性エチレンコポリマーと
から実質上なる組成物を含み、
前記アルキル基が、１から８個の炭素原子を含み、かつ分岐または非分岐、飽和または不飽和であり、かつ
前記エチレン酸コポリマーおよび前記官能性エチレンコポリマー中に存在する前記カルボン酸の部分の少なくとも一部が中和されていてもよい、
物品。
２  パウチ、ボトル、チューブ、バッグ、または製品を入れるための包装用容器である、上記１に記載の物品。
３  前記エチレン酸コポリマーが、Ｅ／ＸジポリマーまたはＥ／Ｘ／Ｙターポリマーであり、式中、Ｅがエチレンから誘導される共重合された単位を表し、Ｘが前記α，β−エチレン性不飽和モノカルボン酸から誘導される共重合された単位を表し、Ｙがアクリル酸アルキルまたはメタクリル酸アルキルから誘導される共重合された単位を表し、さらにＸが前記Ｅ／Ｘ／Ｙコポリマーの約２から約３０重量％の量で存在し、またＹが前記Ｅ／Ｘ／Ｙコポリマーの０から約４０重量％の量で存在する、上記１または上記２に記載の物品。
４  前記エチレン酸コポリマーが、エチレンの共重合された単位と、約４重量％から約３０重量％の前記α，β−エチレン性不飽和カルボン酸の共重合された単位とから実質上なるＥ／Ｘジポリマーであるか、あるいは前記エチレン酸コポリマーが、エチレン、α，β−エチレン性不飽和カルボン酸、およびアクリル酸アルキルまたはメタクリル酸アルキルの共重合されたコモノマーから実質上なるＥ／Ｘ／Ｙターポリマーであり、前記Ｅ／Ｘ／Ｙターポリマーの総重量を基準にしてＸが約２から約２５重量％の量で存在し、Ｙが約０．１から約４０重量％の量で存在する、上記３に記載の物品。
５  エチレン性不飽和ジカルボン酸の前記アルキルモノエステル（ｅ）から誘導される前記共重合された単位が、前記官能性エチレンコポリマーの総重量を基準にして約５から約２０重量％の量で存在し、かつ酢酸ビニル、アクリル酸アルキル、およびメタクリル酸アルキルからなる群から選択される前記１種類または複数種類のモノマー（ｆ）から誘導される前記共重合された単位が、前記官能性エチレンコポリマーの総重量を基準にして約５重量％までの量で存在する、上記１から４のいずれかに記載の物品。
６  前記ジカルボン酸が、前記官能性エチレンコポリマーの総重量を基準にして約５から約１５重量％の量で存在するか、あるいは前記ジカルボン酸が、マレイン酸のＣ1〜Ｃ4アルキルモノエステルから誘導される共重合された単位であり、前記官能性エチレンコポリマーの総重量を基準にして約８から約１２重量％の量で存在するか、あるいは前記ジカルボン酸が、マレイン酸水素エチルまたはマレイン酸水素メチルから誘導される共重合された単位であるか、あるいは酢酸ビニル、アクリル酸アルキル、またはメタクリル酸アルキルのうちの１種類または複数種類が、前記官能性コポリマー中に、前記官能性エチレンコポリマーの総重量を基準にして約０．１から約１０重量％の量で存在する、上記５に記載の物品。
７  前記エチレン酸コポリマーおよび前記官能性エチレンコポリマー中に存在する合計したカルボン酸部分の少なくとも一部が中和され、かつそれらの対イオンが１種類または複数種類のアルカリ金属、遷移金属、またはアルカリ土類金属陽イオンを含む、上記１から６のいずれかに記載の物品。
８  ポリアミド、コポリエーテルエステル、コポリエーテルアミド、ゴム弾性ポリオレフィン、スチレンジエンブロックコポリマー、熱可塑性ポリウレタン、ポリオレフィン、および無水マレイン酸グラフトポリマーからなる群から選択される非イオノマー熱可塑性材料をさらに含む、上記１から７のいずれかに記載の物品。
９  前記無水マレイン酸グラフトポリマーが、マレイン化ポリエチレン、マレイン化ポリプロピレン、マレイン化ポリエチレン／ポリプロピレンゴム、マレイン化スチレン−エチレン−ブテン−スチレントリブロックコポリマー、またはマレイン化ポリブタジエンである、上記８に記載の物品。
１０  （１）１種類または複数種類のエチレン酸コポリマーであって、（ａ）エチレンおよび（ｂ）炭素原子３から８個を含む１種類または複数種類のα，β−エチレン性不飽和モノカルボン酸の各モノマーから誘導される共重合された単位を含み、（ｃ）１種類または複数種類の（メタ）アクリル酸アルキルのモノマーから誘導される共重合された単位を含んでもよい、エチレン酸コポリマーと、
（２）１種類または複数種類の官能性エチレンコポリマーであって、（ｄ）エチレンおよび（ｅ）炭素原子４から８個を含み、かつ少なくとも２個のカルボン酸基を含むエチレン性不飽和カルボン酸のアルキルモノエステルから誘導される共重合された単位を含み、（ｆ）酢酸ビニルあるいは１種類または複数種類の（メタ）アクリル酸アルキルから誘導される共重合された単位を含んでもよい、官能性エチレンコポリマーと
から実質上なる組成物であって、
前記アルキル基が、１から８個の炭素原子を含み、かつ分岐または非分岐、飽和または不飽和であり、かつ
前記エチレン酸コポリマーおよび前記官能性エチレンコポリマー中に存在する前記カルボン酸の部分の少なくとも一部が中和されていてもよい、
組成物。
１１  前記エチレン酸コポリマーが、Ｅ／ＸジポリマーまたはＥ／Ｘ／Ｙターポリマーであり、式中、Ｅがエチレンから誘導される共重合された単位を表し、Ｘが前記α，β−エチレン性不飽和モノカルボン酸から誘導される共重合された単位を表し、Ｙがアクリル酸アルキルまたはメタクリル酸アルキルから誘導される共重合された単位を表し、さらにＸが前記Ｅ／Ｘ／Ｙコポリマーの約２から約３０重量％の量で存在し、かつＹが前記Ｅ／Ｘ／Ｙコポリマーの０から約４０重量％の量で存在するか、あるいは前記エチレン酸コポリマーが、エチレンの共重合された単位と、約４重量％から約３０重量％の前記α，β−エチレン性不飽和カルボン酸の共重合された単位とから実質上なるＥ／Ｘジポリマーであり、また任意選択でさらに前記エチレン酸コポリマーが、エチレン、α，β−エチレン性不飽和カルボン酸、およびアクリル酸アルキルまたはメタクリル酸アルキルの共重合されたコモノマーから実質上なるＥ／Ｘ／Ｙターポリマーであって、前記Ｅ／Ｘ／Ｙターポリマーの総重量を基準にしてＸが約２から約２５重量％の量で存在し、Ｙが約０．１から約４０重量％の量で存在する、ターポリマーであるか、あるいは前記官能性エチレンコポリマーが、（ｄ）エチレン、（ｅ）前記官能性エチレンコポリマーの総重量を基準にして約５から約２０重量％の量で存在する前記アルキルモノエステル、および（ｆ）酢酸ビニル、アクリル酸アルキル、およびメタクリル酸アルキルからなる群から選択され、前記官能性エチレンコポリマーの総重量を基準にして約５重量％までの量で存在する前記１種類または複数種類のモノマーから誘導される共重合された単位を含むか、あるいは前記エチレン酸コポリマーおよび前記官能性エチレンコポリマー中に存在する合計したカルボン酸部分の少なくとも一部が、１種類または複数種類のアルカリ金属、遷移金属、またはアルカリ土類金属陽イオンによって中和されるか、あるいは前記組成物が、ポリアミド、コポリエーテルエステル、コポリエーテルアミド、ゴム弾性ポリオレフィン、スチレンジエンブロックコポリマー、熱可塑性ポリウレタン、ポリオレフィン、および無水マレイン酸グラフトポリマーからなる群から選択される非イオノマー熱可塑性材料をさらに含む、上記１０に記載の組成物。
１２  上記１０または上記１１に記載の組成物を含む造形品。
１３  溶融押出成形、押出ブロー成形、同時押出ブロー成形、オーバーモールド成形、熱成形、異形押出成形、射出成形、圧縮成形、積層成形、切断、およびロール練りからなる群から選択される１つまたは複数の方法によって形成される、上記１２に記載の造形品。
１４  ボトル、燃料タンク、コンテナ、異形材、チューブ、ペレット、スラグ、ロッド、およびロープからなる群から選択される上記１２または上記１３に記載の造形品。
【手続補正２】
【補正対象書類名】特許請求の範囲
【補正対象項目名】全文
【補正方法】変更
【補正の内容】
【特許請求の範囲】
【請求項１】
第一層と、前記第一層に直接接着した追加の層とを備える多層フィルムまたはシートである物品であって、前記追加の層が、金属、ＥＶＯＨ、またはポリアミドを含むか、または金属、ＥＶＯＨ、またはポリアミドから調製され、前記第一層が、
（１）１種類または複数種類のエチレン酸コポリマーであって、（ａ）エチレンおよび（ｂ）炭素原子３から８個を含む１種類または複数種類のα，β−エチレン性不飽和モノカルボン酸の各モノマーから誘導される共重合された単位（ｃｏｐｏｌｙｍｅｒｉｚｅｄ  ｕｎｉｔ）を含み、（ｃ）１種類または複数種類の（メタ）アクリル酸アルキルのモノマーから誘導される共重合された単位を含んでもよい、エチレン酸コポリマーと、
（２）１種類または複数種類の官能性エチレンコポリマーであって、（ｄ）エチレンおよび（ｅ）炭素原子４から８個を含み、かつ２個のカルボン酸基を含むエチレン性不飽和カルボン酸のアルキルモノエステルの各モノマーから誘導される共重合された単位を含み、（ｆ）前記官能性エチレンコポリマーの総重量を基準にして約５重量％までの酢酸ビニルあるいは１種類または複数種類の（メタ）アクリル酸アルキルのモノマーから誘導される共重合された単位を含んでもよい、官能性エチレンコポリマーと
から実質上なる組成物を含み、
前記アルキル基が、１から８個の炭素原子を含み、かつ分岐または非分岐、飽和または不飽和であり、かつ
前記エチレン酸コポリマーおよび前記官能性エチレンコポリマー中に存在する前記カルボン酸の部分の少なくとも一部が中和されていてもよい、
物品。
【請求項２】
（１）１種類または複数種類のエチレン酸コポリマーであって、（ａ）エチレンおよび（ｂ）炭素原子３から８個を含む１種類または複数種類のα，β−エチレン性不飽和モノカルボン酸の各モノマーから誘導される共重合された単位を含み、（ｃ）１種類または複数種類の（メタ）アクリル酸アルキルのモノマーから誘導される共重合された単位を含んでもよい、エチレン酸コポリマーと、
（２）１種類または複数種類の官能性エチレンコポリマーであって、（ｄ）エチレンおよび（ｅ）炭素原子４から８個を含み、かつ少なくとも２個のカルボン酸基を含むエチレン性不飽和カルボン酸のアルキルモノエステルから誘導される共重合された単位を含み、（ｆ）酢酸ビニルあるいは１種類または複数種類の（メタ）アクリル酸アルキルから誘導される共重合された単位を含んでもよい、官能性エチレンコポリマーと
から実質上なる組成物であって、
前記アルキル基が、１から８個の炭素原子を含み、かつ分岐または非分岐、飽和または不飽和であり、かつ
前記エチレン酸コポリマーおよび前記官能性エチレンコポリマー中に存在する前記カルボン酸の部分の少なくとも一部が中和されていてもよい、
組成物。
【請求項３】
請求項２に記載の組成物を含む造形品。